(57)【要約】      （修正有）【課題】製造に高い技術力や手間を必要とせずに、座り心地のよい椅子を提供する。【解決手段】椅子本体Ａ２に支持される周縁部とＡ５、この周縁部の内側に位置する中間部Ａ６とを有する板材Ａ３１を備えたものであり、前記中間部Ａ６の特定箇所が、板材の厚み方向に撓み可能な複数本のビームＡ６１を隣接させて配するとともに、これらのビームＡ６１同士を接続部材Ａ６２により間欠的に接続した構造をなすものであり、前記各ビームＡ６１が、裏面側に開放された溝Ａ６３を有し、かつ、板材Ａ３１に厚み方向に荷重がかかった際にこの溝Ａ６３が拡開する方向に変形し得る断面形状をなしている。【選択図】図２
2011244956.tif 000002
【特許請求の範囲】
【請求項１】
椅子本体に座板及び背板を支持させてなる椅子であって、
前記座板及び背板の少なくとも一方が、椅子本体に支持される周縁部と、この周縁部の内側に位置する中間部とを有する板材を備えたものであり、前記中間部の特定箇所が、板材の厚み方向に撓み可能な複数本のビームを隣接させて配するとともに、これらのビーム同士を接続部材により間欠的に接続した構造をなすものであり、前記各ビームが、裏面側に開放された溝を有し、かつ、板材に厚み方向に荷重がかかった際にこの溝が拡開する方向に変形し得る断面形状をなしていることを特徴とする椅子。
【請求項２】
前記板材が、樹脂により一体成形されたものである請求項１記載の椅子。
【請求項３】
前記板材が、前記座板を構成するものであり、
前記周縁部が、前記椅子本体の前フレームと後フレームに傾動可能に支持される前縁部分及び後縁部分と、前記椅子本体の左右の側フレーム上に位置する左右の側縁部分とを備えたものであり、前記各ビームが、前縁部分と後縁部分との間に架設されたものである請求項１または２記載の椅子。
【請求項４】
前記板材が、同一の形状寸法を有する複数のビームを備えたものである請求項１、２または３記載の椅子。
【請求項５】
前記板材が、板材の厚み方向における寸法が相互に異なったビームを備えたものである請求項１、２または３記載の椅子。
【請求項６】
前記各ビームが、頂壁と、この頂壁の両側縁から板材の裏面側に延出させた対をなす側壁とを一体に備えたものである請求項１、２、３、４または５記載の椅子。
【請求項７】
前記各ビームが、下方に開口する横断面Ｃ字形をなす壁を備えたものである請求項１、２、３、４または５記載の椅子。
【請求項８】
前記各ビームが、下方に開口する横断面Ｖ字形をなす壁を備えたものである請求項１、２、３、４または５記載の椅子。
【請求項９】
前記中間部の全域が、前記特定箇所である請求項１、２、３、４、５、６、７または８記載の椅子。
【請求項１０】
前記中間部の一部が、前記特定箇所である請求項１、２、３、４、５、６、７または８記載の椅子。
【請求項１１】
前記中間部の一部の領域のビームの変形特性が、他の領域のビームの変形特性と異ならせてある請求項９または１０記載の椅子。
【発明の詳細な説明】
【技術分野】
【０００１】
本発明は、学校用または事務用等として好適に使用される椅子に関する。
【背景技術】
【０００２】
従来、この種の椅子では、比較的長時間着座されることが少なくないため、座り心地が重視され、種々の改善がなされてきた。近時、非常に座り心地のよい椅子として、枠材に張設したメッシュにより着座者の荷重を弾性的に受けるようにしたメッシュタイプの椅子が開発されている（例えば、特許文献１を参照）。
【０００３】
ところが、このようなメッシュタイプの椅子では、枠材にメッシュを適切な張力をもって張り設ける必要があり、その支持構造が複雑であるとともに、その張設作業に高い技術力が要求される。
【先行技術文献】
【特許文献】
【０００４】
【特許文献１】特開２００７-２０２５９１号公報
【発明の概要】
【発明が解決しようとする課題】
【０００５】
本発明は、以上のような事情に着目してなされたものであり、製造に高い技術力や手間を必要とせずに、座り心地のよい椅子を提供することを目的とする。
【課題を解決するための手段】
【０００６】
本発明は、以上のような課題を解決するために、次のような構成を採用したものである。すなわち、本発明に係る椅子は、椅子本体に座板及び背板を支持させてなるものであって、前記座板及び背板の少なくとも一方が、椅子本体に支持される周縁部と、この周縁部の内側に位置する中間部とを有する板材を備えたものであり、前記中間部の特定箇所が、板材の厚み方向に撓み可能な複数本のビームを隣接させて配するとともに、これらのビーム同士を接続部材により間欠的に接続した構造をなすものであり、前記各ビームが、裏面側に開放された溝を有し、かつ、板材に厚み方向に荷重がかかった際にこの溝が拡開する方向に変形し得る断面形状をなしていることを特徴とする。
【０００７】
ここで、「拡開する方向」とは、各ビームの開口端側の幅寸法が、開口端と反対側の幅寸法よりも大きくなる方向を示す。
【０００８】
このようなものであれば、板材により着座者の荷重を弾性的に受けるようにしているので、従来のような枠材にメッシュを張り設けたものに比べて製造に高い技術力や手間を必要とせずに、座り心地のよい椅子となる。すなわち、前記ビーム及び接続部材を備えた特定箇所が、荷重に耐えるだけの強度を備えつつ、荷重がかかった際に溝が拡開する方向にビームが変形するため柔軟性をも備えることとなる。換言すれば、前記ビーム及び接続部材を備えることによって、前記特定箇所が、荷重に耐えるだけの強度を備えつつ、荷重がかかった際に溝が拡開する方向にビームが変形するため柔軟性をも兼ね備えることとなる。そのため、板材が着座者の荷重に応じて撓み変形し、座り心地のよいものとなる。
【０００９】
前記板材は、樹脂により一体成形されたものであるものが好ましい。
【００１０】
前記板材が、前記座板を構成するものである場合の好適な一態様としては、前記周縁部が、前記椅子本体の前フレームと後フレームに傾動可能に支持される前縁部分及び後縁部分と、前記椅子本体の左右の側フレーム上に位置する左右の側縁部分とを備えたものであり、前記各ビームが、前縁部分と後縁部分との間に架設されたものが挙げられる。
【００１１】
前記板材は、同一の形状寸法を有する複数のビームを備えたものであってもよいが、板材の厚み方向における寸法が相互に異なったビームを備えたものであってもよい。
【００１２】
前記各ビームの具体的な形状としては、頂壁と、この頂壁の両側縁から板材の裏面側に延出させた対をなす側壁とを一体に備えたものが挙げられる。
【００１３】
前記各ビームの他の具体的な形状としては、下方に開口する横断面Ｃ字形をなす壁を備えたものや、下方に開口する横断面Ｖ字形をなす壁を備えたものが挙げられる。
【００１４】
前記中間部の全域が、前記特定箇所であってもよいが、前記中間部の一部が、前記特定箇所であってもよい。
【００１５】
部分的に座り心地を変えたい場合には、前記中間部の一部の領域のビームの変形特性が、他の領域のビームの変形特性と異ならせてあるものが好ましい。
【発明の効果】
【００１６】
本発明は、以上のような構成であるから、製造に高い技術力や手間を必要とせずに、座り心地のよい椅子を提供することができる。
【図面の簡単な説明】
【００１７】
【図１】本発明の第１実施形態を示す全体斜視図。
【図２】同実施形態の背面側を示す全体斜視図。
【図３】同実施形態の座板を示す平面図。
【図４】同実施形態の座板を示す斜視図。
【図５】同実施形態の座板の背面側を示す斜視図。
【図６】図３におけるＸ-Ｘ線断面図。
【図７】図３におけるＹ-Ｙ線断面図。
【図８】本発明の第２実施形態を示す全体斜視図。
【図９】同実施形態の背面側を示す全体斜視図。
【図１０】同実施形態の側断面図。
【図１１】本発明の第３実施形態の要部を示す分解斜視図。
【図１２】同実施形態の椅子を模式的に示す側面図。
【図１３】本発明の第４実施形態を示す全体斜視図。
【図１４】同実施形態の椅子の使用態様を模式的に示す側面図。
【図１５】同実施形態の椅子の使用態様を模式的に示す側面図。
【図１６】本発明の第４実施形態の背面側を示す全体斜視図。
【図１７】同実施形態を示す板材の背面側を示す斜視図。
【図１８】同実施形態を示す板材の図６に対応する断面図。
【図１９】本発明の取付体の変形例を模式的に示す説明図。
【発明を実施するための形態】
【００１８】
以下、本発明の第１実施形態について図１ないし図７を参照して説明する。
【００１９】
この実施形態は、本発明を上下方向にスタッキング可能な椅子Ａ１に適用したものである。この椅子Ａ１は、椅子本体Ａ２に座板Ａ３及び背板Ａ４を支持させてなるものである。
【００２０】
椅子本体Ａ２は、図１及び図２に示すように、接地体Ａ２１１を介して床上に載置される左右のベースＡ２１と、これら各ベースＡ２１の前端から上方に延出する左右の前脚Ａ２２と、前記各ベースＡ２１の後端から上方に延出する左右の後脚Ａ２３と、これら後脚Ａ２３の上端間に架設された後フレームＡ２４と、この後フレームＡ２４の両端近傍部と前記前脚Ａ２２の上端とを繋ぐ左右の側フレームＡ２５と、これら側フレームＡ２５の前端近傍部間に架設された前フレームＡ２６と、前記後脚Ａ２３の上端から上方に延出する左右の背フレームＡ２７とを備えてなる。前記ベースＡ２１、前脚Ａ２２、後脚Ａ２３、側フレームＡ２５、及び、背フレームＡ２７は、共通の金属線材を折曲げることにより一体に構成されたもので、前記座板Ａ３及び背板Ａ４に作用する荷重を受けることが可能な強度を備えている。そして、前記前フレームＡ２６及び後フレームＡ２４に前記座板Ａ３を支持させている。また、本実施形態においては、前記椅子本体Ａ２に前記座板Ａ３を取り付けた状態で、前記前フレームＡ２６と前記座板Ａ３との間に当該座板Ａ３の下方への撓みを許容できるだけの隙間が形成されるように設定してある。
【００２１】
座板Ａ３は、図１ないし図７に示すように、板材Ａ３１と、この板材Ａ３１の下面に突設した前後の取付体Ａ３２、Ａ３３とを備えたもので、この実施形態においては、樹脂により一体に成形されている。
【００２２】
板材Ａ３１は、図１ないし図７に示すように、椅子本体Ａ２の前フレームＡ２６及び後フレームＡ２４に支持される周縁部Ａ５と、この周縁部Ａ５の内側に位置する中間部Ａ６とを有し樹脂で一体に成形されたものであり、前記中間部Ａ６の特定箇所、この実施形態では、中間部Ａ６の全域が、前記ビームＡ６１及び接続部材Ａ６２を備えた構造をなしている。
【００２３】
前記周縁部Ａ５は、図１ないし図５に示すように、中間部Ａ６の左右両側に位置する側縁部分Ａ５１と、中間部Ａ６の後側に位置する後縁部分Ａ５２と、中間部Ａ６の前側に位置する前縁部分Ａ５３とを備えたものである。前記側縁部分Ａ５１は、前記側フレームＡ２５を包み込むように下方に湾曲している。前記後縁部分Ａ５２は、後上方に向けて湾曲している。前記前縁部分Ａ５３は、前下方に向けて湾曲している。
【００２４】
前記中間部Ａ６は、図１ないし図７に示すように、板材Ａ３１の厚み方向に撓み可能な複数本のビームＡ６１を隣接させて平行に配するとともに、これらのビームＡ６１同士を接続部材Ａ６２により間欠的に接続した構造をなすものである。
【００２５】
前記各ビームＡ６１は、裏面側に開放された溝Ａ６３を有し、かつ、板材Ａ３１に厚み方向に荷重がかかった際にこの溝Ａ６３が拡開する方向に変形し得る断面形状をなしている。しかして、前記ビームＡ６１が下方に撓む際には、隣接するビームＡ６１の後述する側壁Ａ６５同士が接続部材Ａ６２により接続されているため、当該ビームＡ６１が溝Ａ６３を拡開するようにして弾性変形することになる。そのため、ビームＡ６１にかかる荷重がなくなった場合には、複数のビームＡ６１が元の形態に戻ろうとする際の弾性復帰力を利用して、板材Ａ３１が元の平面状態に復帰することになる。
【００２６】
前記各ビームＡ６１は、周縁部Ａ５の前縁部分Ａ５３と後縁部分Ａ５２との間に架設されたものであり、その全長に亘って前記溝Ａ６３がとぎれることなく連続して形成されている。また、この実施形態においては、全てのビームＡ６１が、同一の形状寸法を有している。具体的には、前記各ビームＡ６１は、頂壁Ａ６４と、この頂壁Ａ６４の両側縁から板材Ａ３１の裏面側に延出させた対をなす側壁Ａ６５とを一体に備えた横断面コ字形をなす。そして、隣接するビームＡ６１の側壁Ａ６４外面同士を前記接続部材Ａ６２により一定のピッチで間欠的に接続している。
【００２７】
接続部材Ａ６２は、この実施形態では、裏面側に開放された溝Ａ６６を有し、頂壁Ａ６７と、この頂壁Ａ６７の両側縁から板材Ａ３１の裏面側に延出させた対をなす側壁Ａ６８とを一体に備えた横断面コ字形をなすもので、前記ビームＡ６１と樹脂により一体に成形されている。この接続部材Ａ６２の頂壁Ａ６４の上面と、前記ビームＡ６１の頂壁Ａ６４の上面と、前記周縁部Ａ５の上面とは、面一に連続し、座面を形成している。
【００２８】
前の取付体Ａ３２は、図２及び図５に示すように、前記周縁部Ａ５の前縁部分Ａ５３の下面に一体に設けられている。この取付体Ａ３２は、横断面Ｃ字形をなす溝Ａ３２１を有したもので、その溝Ａ３２１を横断面円形の輪郭をなす前フレームＡ２６に微少な弾性変形を利用して係わり合わせることにより、前記座板Ａ３の前側を前記椅子本体Ａ２に取り付けている。後の取付体Ａ３３は、図２及び図５に示すように、前記周縁部Ａ５の後縁部分Ａ５２の下面に一体に設けられている。この取付体Ａ３３は、横断面Ｃ字形をなす溝Ａ３３１を有したもので、その溝Ａ３３１を横断面円形の輪郭をなす後フレームＡ２４に微少な弾性変形を利用して係わり合わせることにより、前記座板Ａ３の後側を前記椅子本体Ａ２に取り付けている。
【００２９】
背板Ａ４は、図１及び図２に示すように、両側縁に下方に開口する取付孔Ａ４１を備えたもので、その取付孔Ａ４１を前記背フレームＡ２７に嵌め合わせることによって、この背板Ａ４を椅子本体Ａ２に支持させている。
【００３０】
以上に述べたように、第１実施形態に係る椅子Ａ１は、椅子本体Ａ２に座板Ａ３及び背板Ａ４を支持させてなる椅子Ａ１であって、前記座板Ａ３が、厚み方向に撓み可能な複数本のビームＡ６１を隣接させて配するとともに、隣り合うビームＡ６１同士を接続部材Ａ６２により間欠的に接続した構造をなす板材Ａ３１を備えたものである。そのため、前記座板Ａ３の全部または主要部を樹脂による一体成形により製造することができ、枠材にメッシュを張り設ける場合のような高い技術力や手間を必要としない。しかも、複数のビームＡ６１を前記周縁部Ａ５の前縁部分Ａ５３及び後縁部分Ａ５２間に架設するとともに、それらビームＡ６１同士を接続部材Ａ６２により間欠的に接続しているので、荷重に耐えられるだけの強度を十分に確保することができる。それだけでなく前記各ビームＡ６１が、裏面側に開放された溝Ａ６３を有し、かつ、板材Ａ３１に厚み方向に荷重がかかった際にこの溝Ａ６３が拡開する方向に変形し得る断面形状をなしているので、適切な柔軟性をも確保することができ、座り心地のよい椅子Ａ１となる。その上、前記ビームＡ６１及び接続部材Ａ６２は、それぞれ溝Ａ６３、Ａ６６を有した形状をなしているため、強度を低下させることなしに軽量化を図ることが可能になる。
【００３１】
なお、その強度や柔軟性は、前記ビームＡ６１の側壁Ａ６４の高さや、接続部材Ａ６２の配設ピッチなどを適宜要求される値に設定することで、種々の特性を有した座り心地のよい座板Ａ３を作ることができる。したがって、荷重に応じた適切な弾性を有する座板Ａ３を容易に設計することが可能になる。
【００３２】
特に前記実施形態においては、前記周縁部Ａ５と中間部Ａ６とを有した板材Ａ３１と、取付体Ａ３２、Ａ３３とを樹脂により一体に成形しているので、部品点数が少なくて済み、また、枠材にメッシュを張り設ける場合に比べて、組立に要する工数を大幅に削減することが可能になる。さらにこの板材Ａ３１は樹脂で一体成形されたものであるため、メッシュタイプに較べて強度が高く、破れたり、切れたり、摺り減るおそれが少ない。すなわち、メッシュタイプのものは、細い糸を編んだり織ったりしているので、全体がほつれる可能性があるが、本実施形態の板材Ａ３１は、上記のように板材Ａ３１が一部破損しても、メッシュタイプのように破損が全体に広がることを抑制できる。
【００３３】
前記中間部Ａ６の特定箇所、本実施形態では着座者の臀部及び大腿部を受ける部分が、前記ビームＡ６１及び接続部材Ａ６２を備えた構造をなしているので、座板Ａ３の周辺領域はフレームでしっかり支持されるが、内側領域はソフトな座り心地を得ることができる。
【００３４】
また、前記ビームＡ６１、接続片Ａ６２及び周縁部Ａ５の上面が、面一に連続させてあるので、板材Ａ３１に厚み方向の極端な突出がなく、フラットな座り心地が得られる。
【００３５】
また、周縁部Ａ５は、上述したように湾曲しているため座板Ａ３として必要な高い剛性を有することとなる。
【００３６】
次に、本発明の第２実施形態について図８ないし図１０を参照して説明する。
【００３７】
この実施形態は、本発明を前後方向にネスティング可能な椅子Ｂ１に適用したものである。この椅子Ｂ１は、椅子本体Ｂ２に座板Ｂ３及び背板Ｂ４を支持させてなるものである。
【００３８】
椅子本体Ｂ２は、図８ないし図１０に示すように、下端にキャスタＢ２１１を有した左右の前脚Ｂ２１と、下端にキャスタＢ２２１を有した左右の後脚Ｂ２２と、これら後脚Ｂ２２の上端と前記前脚Ｂ２１の上端とをそれぞれ繋ぐ左右の側フレームＢ２４と、これら側フレームＢ２４の前端近傍部間に架設された前フレームＢ２５と、これら側フレームＢ２４の後端近傍部間に架設された後フレームＢ２３と、この後フレームＢ２３に基端部Ｂ２８を回転可能に支持させた左右の支持フレームＢ２６と、前記後脚Ｂ２２の上端から上方に延出する左右の背フレームＢ２７とを備えてなる。前記前脚Ｂ２１と側フレームＢ２４とは、共通の金属パイプ材を折曲げることにより一体に構成されたもので、側フレームＢ２４の後端は後脚Ｂ２２の上端に溶接等により剛結されている。前記前脚Ｂ２１、後脚Ｂ２２、側フレームＢ２４、前フレームＢ２５、後フレームＢ２３、支持フレームＢ２６、及び背フレームＢ２７は、前記座板Ｂ３及び背板Ｂ４に作用する荷重を受けることが可能な強度を備えている。そして、前記支持フレームＢ２６の前端部及び後端部に前記座板Ｂ３を支持させており、座板Ｂ３が略水平になる使用位置（Ｕ）と座板Ｂ３が背板Ｂ４と略平行になる図示しない跳ね上げ位置との間で回動し得るようになっている。支持フレームＢ２６の中間部Ｂ２９には凹陥部Ｂ２９１が形成されており、前記使用位置（Ｕ）においてこの凹陥部Ｂ２９１が前フレームＢ２５に係わり合うようになっている。なお、前記左右の前脚Ｂ２１間の距離は、前記左右の後脚Ｂ２２間の距離よりも小さく設定されており、座板Ｂ３を跳ね上げた状態で同一の構造をなす他の椅子とネスティング可能になっている。
【００３９】
座板Ｂ３は、図８ないし図１０に示すように、板材Ｂ３１と、この板材Ｂ３１の下面に突設した前後の取付体Ｂ３２、Ｂ３３とを備えたもので、この実施形態においては、樹脂により一体に成形されている。
【００４０】
板材Ｂ３１は、図８ないし図１０に示すように、椅子本体Ｂ２の左右の支持フレームＢ２６に支持される周縁部Ｂ５と、この周縁部Ｂ５の内側に位置する中間部Ｂ６とを有し樹脂で一体に成形されたものであり、前記中間部Ｂ６の特定箇所、この実施形態では、中間部Ｂ６の全域が、前記ビーム及び接続部材を備えた構造をなしている。
【００４１】
前記周縁部Ｂ５は、図８ないし図１０に示すように、中間部Ｂ６の左右両側に位置する側縁部分Ｂ５１と、中間部Ｂ６の後側に位置する後縁部分Ｂ５２と、中間部Ｂ６の前側に位置する前縁部分Ｂ５３とを備えたものである。
【００４２】
前記中間部Ｂ６は、前記第１実施形態と同じ構造をなしており、図８ないし図１０では、詳しい形態を省略して、中間部Ｂ６を網掛けで示している。
【００４３】
取付体Ｂ３２、Ｂ３３は、図９及び図１０に示すように、前記前縁部分Ｂ５３及び後縁部分Ｂ５２の下面に一体に設けられている。前の取付体Ｂ３２は、前記周縁部Ｂ５の前縁部分Ｂ５３に設けられ、後の取付体Ｂ３３は、前記周縁部Ｂ５の後縁部分Ｂ５２に設けられている。前の取付体Ｂ３２に支持フレームＢ２６の前端部を前後方向にスライド可能に取り付けるとともに、後の取付体Ｂ３３に支持フレームＢ２６の後端部を離脱不能に取り付けている。そして、前記前後の取付体Ｂ３２、Ｂ３３間は、前記支持フレームＢ２６と前記座板Ｂ３の中間部Ｂ６とが隙間Ｂ３４を介して離間しており、その隙間Ｂ３４によって前記中間部Ｂ６の厚み方向の弾性変形を許容している。
【００４４】
背板Ｂ４は、図８ないし図１０に示すように、両側縁に下方に開口する取付孔Ｂ４１を備えたもので、その取付孔Ｂ４１を前記背フレームＢ２７に嵌め合わせることによって、この背板Ｂ４を椅子本体Ｂ２に支持させている。
【００４５】
このような構成のものであれば、従来のネスティング可能な椅子と同様に使用することができる上に、座板に関しては前述した第１実施形態に準じた効果が得られる
次に、本発明の第３実施形態について図１１及び図１２を参照して説明する。
【００４６】
この実施形態は、本発明を背板Ｃ４と座板Ｃ３とが一定の比率で同期して傾動するシンクロロッキング可能な椅子Ｃ１に適用したものである。この椅子Ｃ１は、椅子本体Ｃ２に座板Ｃ３及び背板Ｃ４を支持させてなるものである。
【００４７】
椅子本体Ｃ２は、図１１及び図１２に示すように、キャスタＣ２１１を有する脚Ｃ２１と、この脚Ｃ２１の上端に支持される支持基部Ｃ２２と、この支持基部Ｃ２２に傾動可能に支持される背支桿Ｃ２３と、この背支桿Ｃ２３及び前記支持基部Ｃ２２の上方に配された座受Ｃ２４と、この座受Ｃ２４を前記支持基部Ｃ２２及び背支桿Ｃ２３に支持させる支持機構Ｃ２５とを備えてなる。前記座受Ｃ２４は、環状をなす座フレームＣ２６と、この座フレームＣ２６の四隅に設けられた取付板Ｃ２７と、前記支持機構Ｃ２５と連結するための前連結部Ｃ２８及び後連結部Ｃ２９とを備えてなる。そして、前記座フレームＣ２６に座板Ｃ３を載置し、前記取付板Ｃ２７に挿通させた図示しないボルト等の止着具により前記座フレームＣ２６に前記座板Ｃ３を固定した状態で支持させている。前記支持機構Ｃ２５は、例えば、図１２に模式的に示すように、座フレームＣ２６の前連結部Ｃ２８を支持基部Ｃ２２の前端部に連結する自由端構造をなす前リンク要素Ｃ２５１と、背支桿Ｃ２３の中間部に設けられ前記座フレームＣ２６の後連結部Ｃ２９を回動可能に支持する座取付部Ｃ２５２とを具備してなる。
【００４８】
座板Ｃ３は、図１１及び図１２に示すように、樹脂製の板材Ｃ３１と、この板材Ｃ３１の下面側に設けられた図示しない埋設ナットとを備えたもので、前記取付板Ｃ２７に挿通させた止着具が前記埋設ナットに螺着されるようになっている。
【００４９】
板材Ｃ３１は、図１１及び図１２に示すように、椅子本体Ｃ２の座フレームＣ２６に支持される周縁部Ｃ５と、この周縁部Ｃ５の内側に位置する中間部Ｃ６とを有し樹脂で一体に成形されたものであり、前記中間部Ｃ６の特定箇所、この実施形態では、中間部Ｃ６の全域が、前記ビーム及び接続部材を備えた構造をなしている。
【００５０】
前記周縁部Ｃ５は、図１１及び図１２に示すように、中間部Ｃ６の左右両側に位置する側縁部分Ｃ５１と、中間部Ｃ６の後側に位置する後縁部分Ｃ５２と、中間部Ｃ６の前側に位置する前縁部分Ｃ５３とを備えたものである。前記側縁部分Ｃ５１は、前記座フレームＣ２６を包み込むように下方に湾曲している。前記後縁部分Ｃ５２は、後上方に向けて湾曲している。前記前縁部分Ｃ５３は、前下方に向けて湾曲している。
【００５１】
前記中間部Ｃ６は、前記第１実施形態と同じ構造をなしており、図１１では、詳しい形態を省略して、中間部Ｃ６を網掛けで示している。
【００５２】
背板Ｃ４は、図１２に示すように、前記背支桿Ｃ２３の上端部に取り付けられることで、この背板Ｃ４を椅子本体Ｃ２に支持させており、前記背支桿Ｃ２３と一体的に後傾動作を行うようになっている。
【００５３】
このような構成のものであれば、従来のシンクロロッキング可能な椅子と同様に使用することができる上に、座板に関しては前述した第１実施形態に準じた効果が得られる。特に、この実施形態では、図１１に示すように、座枠Ｃ２４の前連結部Ｃ２８及び後連結部Ｃ２９が、座板Ｃ３の撓む範囲下で座フレームＣ２６の左右を連結する構造ではないため、座板Ｃ３の下方への撓み変形を阻害するものが存在しない。したがって、座板Ｃ３の変形し得る範囲を大きく設定することも可能である。
【００５４】
次に、本発明の第４実施形態について図１３ないし図１５を参照して説明する。
【００５５】
この実施形態は、本発明を上下方向にスタッキングすることも前後方向にネスティングすることも可能な椅子Ｄ１に適用したものである。この椅子Ｄ１は、椅子本体Ｄ２に座板Ｄ３及び背板Ｄ４を支持させてなるものである。
【００５６】
椅子本体Ｄ２は、図１３に示すように、接地体Ｄ２１１を介して床上に載置される左右のベースＤ２１と、これら各ベースＤ２１の前端から上方に延出する左右の前脚Ｄ２２と、前記各ベースＤ２１の後端から上方に延出する左右の後脚Ｄ２３と、これら後脚Ｄ２３の上端間に架設された後フレームＤ２４と、この後フレームＤ２４の両端近傍部と前記前脚Ｄ２２の上端とを繋ぐ左右の側フレームＤ２５と、これら側フレームＤ２５の前端近傍部間に架設された前フレームＤ２６と、前記後脚Ｄ２３の上端から上方に延出する左右の背フレームＤ２７とを備えてなる。前記ベースＤ２１、前脚Ｄ２２、後脚Ｄ２３、側フレームＤ２５、及び、背フレームＤ２７は、共通の金属線材を折曲げることにより一体に構成されたもので、前記座板Ｄ３及び背板Ｄ４に作用する荷重を受けることが可能な強度を備えている。そして、座板Ｄ３は、左右の側フレームＤ２５と前フレームＤ２６に載置されるとともに、前記後フレームＤ２４に回動可能に支持されており、図１０及び図１１に示すように座板Ｄ３が略水平になる使用位置（Ｕ）と、図１２に示すように座板Ｄ３が背板Ｄ４と略平行になる跳ね上げ位置（Ｌ）との間で回動し得るようになっている。
【００５７】
なお、第１実施形態と同様に、左右のベースＤ２１同士の離間距離は、前記左右の側フレームＤ２５の離間距離よりも大きく設定してあり、図１４に示すように、同一の構造をなす他の椅子Ｄ１と上下方向にスタッキング可能になっている。特に、図１４に示すような上下方向にスタッキングする際には、上下方向に隣接する上の椅子Ｄ１の設置体Ｄ２１１の下面が、下の椅子Ｄ１のベースＤ２１の上面に載るかたちとなり、上下の椅子Ｄ１の座板Ｄ３同士が直接接触しないように設定されている。そのため、上下方向にスタッキングした際に、上の椅子Ｄ１の座板Ｄ３は、跳ね上げ方向に浮き上がらないようになっている。
【００５８】
また、前記左右の前脚Ｄ２１間の距離は、前記左右の後脚Ｄ２２間の距離よりも小さく設定されており、図１５に示すように、座板Ｄ３を跳ね上げた状態で同一の構造をなす他の椅子とネスティング可能になっている。すなわち、前記左右の側フレームＤ２５同士の離間距離、及び左右のベースＤ２１同士の離間距離は、それぞれ前方に向かって漸次小さくなるように設定されている。
【００５９】
座板Ｄ３は、図１３に示すように、板材Ｄ３１と、この板材Ｄ３１の下面に突設した取付体Ｄ３２とを備えたもので、この実施形態においては、樹脂により一体に成形されている。
【００６０】
板材Ｄ３１は、図１３に示すように、椅子本体Ｄ２の左右の側フレームＤ２５及び前フレームＤ２６及び後フレームＤ２４に支持される周縁部Ｄ５と、この周縁部Ｄ５の内側に位置する中間部Ｄ６とを有し樹脂で一体に成形されたものであり、前記中間部Ｄ６の特定箇所、この実施形態では、中間部Ｄ６の全域が、前記帯状部材及び接続片を備えた構造をなしている。
【００６１】
前記周縁部Ｄ５は、図１３に示すように、中間部Ｄ６の左右両側に位置する側縁部分Ｄ５１と、中間部Ｄ６の後側に位置する後縁部分Ｄ５２と、中間部Ｄ６の前側に位置する前縁部分Ｄ５３とを備えたものである。前記側縁部分Ｄ５１は、前記側フレームＤ２５を包み込むように下方に湾曲している。前記後縁部分Ｄ５２は、後上方に向けて湾曲している。前記前縁部分Ｄ５３は、前下方に向けて湾曲している。
【００６２】
前記中間部Ｄ６は、前記第１実施形態と同じ構造をなしており、図１３では、詳しい形態を省略して、中間部Ｄ６を網掛けで示している。
【００６３】
取付体Ｄ３２は、図１３に示すように、前記後縁部分Ｄ５２の下面に一体に設けられている。この取付体Ｄ３２は、横断面Ｃ字形をなす溝Ｄ３２１を有したもので、その溝Ｄ３２１を前記後フレームＤ２５に回動可能に係わり合わせることにより、前記座板Ｄ３を前記椅子本体Ｄ２に取り付けている。
【００６４】
背板Ｄ４は、図１３に示すように、両側縁に下方に開口する取付孔Ｄ４１を備えたもので、その取付孔Ｄ４１を前記背フレームＤ２７に嵌め合わせることによって、この背板Ｄ４を椅子本体Ｄ２に支持させている。
【００６５】
このような構成のものであれば、図１４に示すように上下方向にスタッキングすることも、図１５に示すように前後方向にネスティングすることも可能になる上に、座板に関しては前述した第１実施形態に準じた効果が得られる。
【００６６】
次に、本発明の第５実施形態について図１６ないし図１８を参照して説明する。
【００６７】
この実施形態は、本発明を上下方向にスタッキング可能な椅子Ｅ１に適用したものである。この椅子Ｅ１は、前記第１実施形態と同様な構成をなす椅子本体Ｅ２に図１６に示す座板Ｅ３及び背板Ｅ４を支持させてなるものである。なお、椅子本体Ｅ２及び背板Ｅ４に関し、第１実施形態と同一またはそれに相当する部分には、「Ａ」を「Ｅ」に差し替えた上で、同一の符号を付して説明を省略する。
【００６８】
図１６に示す座板Ｅ３の板材Ｅ３１は、周縁部Ｅ５と中間部Ｅ６とを有し樹脂で一体に成形されたものである。前記周縁部Ｅ５は、前記第１実施形態と同様の構成であるため、第１実施形態と同一またはそれに相当する部分には、「Ａ」を「Ｅ」に差し替えた上で、同一の符号を付して説明を省略する。
【００６９】
前記中間部Ｅ６は、図１６ないし図１８に示すように、板材Ｅ３１の厚み方向に撓み可能な複数本のビームＥ６１を隣接させて平行に配するとともに、これらのビームＥ６１同士を接続部材Ｅ６２により間欠的に接続した構造をなすものである。
【００７０】
前記各ビームＥ６１は、裏面側に開放された溝Ｅ６３を有し、かつ、板材Ｅ６１に厚み方向に荷重がかかった際にこの溝Ｅ６３が拡開する方向に変形し得る断面形状をなしている。前記各ビームＥ６１は、周縁部Ｅ５の前縁部分Ｅ５３と後縁部分Ｅ５２との間に架設されたものであり、その全長に亘って前記溝Ｅ６３がとぎれることなく連続して形成されている。具体的には、前記各ビームＥ６１は、頂壁Ｅ６４と、この頂壁Ｅ６４の両側縁から板材Ｅ３１の裏面側に延出させた対をなす側壁Ｅ６５とを一体に備えた横断面コ字形をなす。そして、隣接するビームＥ６１の側壁Ｅ６５外面同士を前記接続部材Ｅ６２により一定のピッチで間欠的に接続している。
【００７１】
接続部材Ｅ６２は、この実施形態では、裏面側に開放された溝Ｅ６６を有し、頂壁Ｅ６７と、この頂壁Ｅ６７の両側縁から板材Ｅ３１の裏面側に延出させた対をなす側壁Ｅ６８とを一体に備えた横断面コ字形をなすもので、前記ビームＥ６１と樹脂により一体に成形されている。この接続部材Ｅ６２の頂壁Ｅ６７の上面と、前記ビームＥ６１の頂壁Ｅ６４の上面と、前記周縁部Ｅ５の上面とは、面一に連続し、座面を形成している。
【００７２】
本実施形態の板材Ｅ３１は、前記中間部Ｅ６の一部の領域Ｅ６９のビームＥ６１の変形特性を、他の領域のビームＥ６１の変形特性と異ならせてある。具体的には、中間部Ｅ６の臀部を受ける左右対をなす２つの領域Ｅ６９の柔軟性を他の領域の柔軟性よりも高めている。すなわち、図１８に示すように、前記２つの領域Ｅ６９に位置するビームＥ６１の板材Ｅ３１の厚み方向寸法Ｌ１を、他の領域に位置するビームＥ６１の板材Ｅ３１の厚み方向寸法Ｌ２よりも小さく設定している。詳述すれば、前記領域Ｅ６９におけるビームＥ６１の側壁Ｅ６４の厚み方向寸法Ｌ１を、他の領域におけるビームＥ６１の側壁Ｅ６４の厚み方向寸法Ｌ２よりも小さくしており、部分的にビームＥ６１の剛性を下げることで柔軟性の高い箇所を形成している。
【００７３】
このような構成のものであれば、前述した第１実施形態に準じた効果が得られる。特に、この実施形態では、中間部Ｅ６の２箇所に前述したような構成を有しているので、体重のかかり具合に合わせて着座者の臀部を受ける部分が最も変形しやすくなっている。そのため、臀部全体を均等に支持することが可能となり、座り心地を良くすることができる。
【００７４】
また、以上説明した第５実施形態の座板に準じた構成をなす座板を、前記第２実施形態の椅子本体、前記第３実施形態の椅子本体、または前記第４実施形態の椅子本体に組み合わせることも考えられる。
【００７５】
なお、本発明は以上に述べた実施形態に限られない。
【００７６】
板体は、座板を構成するものに限らず、背板を構成するものであってもよい。
【００７７】
また、図示実施例では、中間部の全域にビーム及び接続部材を配置していたが、これに限られず、例えば、中間部の一部に、ビーム及び接続部材を配する特定箇所を設けるものであってもよい。この場合、前記特定箇所は、複数設定してもよい。
【００７８】
さらに、第４実施形態においては、中間部全域にビーム及び接続部材を配し、その中間部の一部の領域のビームの変形特性を、他の領域のビームの変形特性と異ならせた場合について説明したが、前述したように特定箇所を複数設定している場合には、一の特定箇所と他の特定箇所との間で変形特性を変えるようにしてもよい。その一例としては、一の特定箇所のビームの配列方向と他の特定箇所のビームの配列方向とを異ならせることが考えられる。また、他の例としては、一の特定箇所のビームや接続部材の形状や寸法と他の特定箇所のビームや接続部材の形状や寸法とを異ならせることも考えられる。
【００７９】
ビームの形状は、以上説明した実施形態に示したものに限られないのはもちろんであり、本発明の趣旨を逸脱しない範囲で種々変更可能である。すなわち、図示実施形態においては、座面に直交する方向からの視線において直線状をなすものであったが、曲線的に湾曲したものであってもよい。曲線的に湾曲したものの中には、例えば、扇状あるいは波状に湾曲し周縁部間に架設される形状のものだけでなく、環状のものも含まれる。環状のものの例としては、大きさの異なる円環状あるいは楕円環状のものが挙げられる。その場合には、それらのビームを同心円状に配列させて、接続部材により適宜箇所を間欠的に接続すればよい。ビームの断面形状も、図示実施形態には限られず、例えば、頂壁と、この頂壁の両側縁から板材の裏面側に一定の角度をもって延出させた対をなす側壁とを一体に備えた横断面台形状のものや、下方に開口する横断面Ｃ字形をなす壁を備えたもの、あるいは、下方に開口する横断面Ｖ字形をなす壁を備えたもの等を挙げることができる。
【００８０】
また、接続部材も前述した実施形態のものに限られず、例えば、溝を有しないものであってもよい。
【００８１】
ビーム、接続部材、周縁部の表面は、面一に連続するものに限られないのはもちろんであり、例えば、接続部材をビームの表面よりも裏側に退避させる等種々変形が可能である。
【００８２】
座板は、板材の上面を張り地で覆い設けたものや、さらに、その張り地と板材との間にクッションを介在させたものであってもよい。
【００８３】
前記座板の取付体は、図示実施例のものに限られないのはもちろんであり、板材に一体に設けられるものの他、別体の取付体を板材に取り付けるようにしたものであってもよい。また、取付体の形状についても種々変更可能であり、例えば、前記第１実施形態における取付体Ａ３２に代えて、図１９に模式的に示すようなものが考えられる。この取付体Ｆ７は、前記周縁部Ｆ５の側縁部分Ｆ５１の下面に一体に設けられ下方に突出する突起状のものであり、その先端部分Ｆ７１が外側方に向かって湾曲している。すなわち、この取付体Ｆ７と下方に湾曲する周縁部Ｆ５の側縁部分Ｆ５１における端縁Ｆ５１１とにより、横断面Ｃ字形をなす溝Ｆ７２を構成したもので、その溝Ｆ７２を前記側フレームＦ２５に係わり合わせることにより、前記座板Ｆ３を前記椅子本体Ｆ２に取り付けるものである。この溝Ｆ７２は、前記側フレームＦ２５を包み込むような形状をなしており、前記溝Ｆ７２の開口端Ｆ７３と前記側フレームＦ２５の下端部が略一致している。
【００８４】
このようなものであれば、第１実施形態と比べて、座板Ｆ３を側フレームＦ２５により接近させることができるので、スタックピッチをより小さくすることができ、スタッキング効率を上げることが可能となる。
【００８５】
上記第３実施形態の支持機構は、座フレームの前端側を前リンク要素を介して支持基部に支持させるとともに、座フレームの後端側を背支桿の座取付部に枢支させたものであるが、このようなものに限られるものでなく、背板と座板とが一定の比率で同期して傾動するシンクロロッキング可能なものであれば、適宜なものを使用できる。
【００８６】
その他、本発明の趣旨を損ねない範囲で種々に変更してよい。
【符号の説明】
【００８７】
Ａ１、Ｂ１、Ｃ１、Ｄ１、Ｅ１…椅子
Ａ２、Ｂ２、Ｃ２、Ｄ２、Ｅ２…椅子本体
Ａ３、Ｂ３、Ｃ３、Ｄ３、Ｅ３…座板
Ａ３１、Ｂ３１、Ｃ３１、Ｄ３１、Ｅ３１…板材
Ａ４、Ｂ４、Ｃ４、Ｄ４、Ｅ４…背板
Ａ５、Ｂ５、Ｃ５、Ｄ５、Ｅ５…周縁部
Ａ６、Ｂ６、Ｃ６、Ｄ６、Ｅ６…中間部
Ａ６１、Ｅ６１…ビーム
Ａ６２、Ｅ６２…接続部材
Ａ６３、Ｅ６３…溝
【図１】
2011244956.tif 000003
【図２】
2011244956.tif 000004
【図３】
2011244956.tif 000005
【図４】
2011244956.tif 000006
【図５】
2011244956.tif 000007
【図６】
2011244956.tif 000008
【図７】
2011244956.tif 000009
【図８】
2011244956.tif 000010
【図９】
2011244956.tif 000011
【図１０】
2011244956.tif 000012
【図１１】
2011244956.tif 000013
【図１２】
2011244956.tif 000014
【図１３】
2011244956.tif 000015
【図１４】
2011244956.tif 000016
【図１５】
2011244956.tif 000017
【図１６】
2011244956.tif 000018
【図１７】
2011244956.tif 000019
【図１８】
2011244956.tif 000020
【図１９】
2011244956.tif 000021